(57)【要約】【課題】プリント起動から給紙開始前までのプリント前回転時に、できるだけ早く定着部のヒートローラ全体を均一に暖めることができる画像形成装置を提供する。【解決手段】プリントジョブが発生すると、ＣＰＵ１は、サーミスタ２１により検出された定着器の検出温度がピックアップ温度に到達するまで、ＳＷ１９へのヒータオン／オフ信号をオンにすることにより、広い用紙幅用の長ヒータ１６をオンする。そして、定着器の温度がピックアップ温度まで上昇すると、ＣＰＵ１は、ピックアップ信号を出力して記録紙の給紙を開始するとともに、連続プリント中の定着温度維持の際には、記録用紙の幅に応じて広い用紙幅用の長ヒータ１６と狭い用紙幅用の短ヒータ１７のいずれかを選択して定着器の温度制御を実行する。【選択図】図１
2008197306.tif 000002
【特許請求の範囲】
【請求項１】
長さの異なる複数のヒータを有する定着部と、上記定着部の温度に応じてヒータを制御する制御手段とを備えた画像形成装置であって、
プリント起動から給紙開始前のプリント前回転時に、上記制御手段が、長いヒータを使用して定着部を加熱することを特徴とする画像形成装置。
【請求項２】
請求項１に記載された画像形成装置において、
上記複数のヒータが広い用紙幅用のヒータと狭い用紙幅用のヒータよりなり、プリント前回転時に、上記制御手段が、広い用紙幅用のヒータを使用して定着部を加熱することを特徴とする画像形成装置。
【請求項３】
請求項１または請求項２に記載された画像形成装置において、
給紙開始後の連続プリント中の定着温度維持時に、上記制御手段が、記録紙の幅に応じて上記複数のヒータのいずれかを使用して定着部の温度制御を実行することを特徴とする画像形成装置。
【発明の詳細な説明】
【技術分野】
【０００１】
本発明は、画像形成装置、特に、定着部のヒータとして長さの異なる複数のヒータを備えた画像形成装置に関する。
【背景技術】
【０００２】
プリント画像情報に対応させて記録紙に付着させたトナーを定着部で加熱することにより記録紙に定着させる電子写真方式の画像形成装置においては、プリント画像情報に基づいて変調された光により感光体に静電潜像を形成し、静電潜像の形成された感光体にトナーを付着して現像する。この感光体に付着されたトナーを記録紙に転写した後、トナーの付着された記録紙を定着ヒータにより加熱されるヒートローラに搬送し、ヒートローラによってトナーを記録紙に定着させるようにしている。
【０００３】
このようなファクシミリ装置やコピー機などに用いられる熱定着部を有する電子写真方式の画像形成装置では、近年、省エネルギーの要求が強まっており、特に、画像形成を実行していない状態での消費電力の低減が強く求められているため、画像形成を実行していない状態において省電力を図る省エネルギーモードを備えている。この省エネルギーモードでは、定着部への電力供給を停止することにより、消費電力の低減を図っている。
【０００４】
また、従来の電子写真方式の画像形成装置では、定着部の温度をサーミスタなどを使用して検出し、定着部の温度が待機温度あるいは定着温度などに保持されるように、上記温度より高くなればシステムの制御によりヒータへの通電を停止し、低くなれば通電を再開するように制御している。
なお、記録開始時に定着部のヒータをオンしていては、プリント可能になるのに時間がかかり、ユーザを待たせることになるので、通常、電源投入直後から定着部の温度を待機温度に立ち上げて待機状態とすることにより、記録開始から定着温度に達するまでの時間、つまり定着立上げ時間を短縮するようにしている。
【０００５】
一方、電子写真方式の画像形成装置では、幅の狭い用紙に画像を形成する場合、印刷用紙のある部分、すなわち、定着部のヒートローラの中央部付近からのみ熱が奪われるために、ヒートローラの端部の温度が上昇するので、ヒートローラ内に広い用紙幅用のヒータと狭い用紙幅用のヒータを設け、記録紙の幅によって使用するヒータを切り替えることにより、はがきなどの幅の短い記録紙の場合にヒートローラの端部の異常昇温を防止するとともに、高速で印字可能となるようにしている（例えば、特許文献１参照）。
【特許文献１】特開２００３−７６２１３号公報
【発明の開示】
【発明が解決しようとする課題】
【０００６】
上記のように、ヒートローラ内に広い用紙幅用のヒータと狭い用紙幅用のヒータを設け、記録紙の幅によって使用するヒータを切り替えるようにすると、幅の狭い記録紙に画像を形成する場合、プリント起動から記録紙の給紙開始前までのプリント前回転時、ヒートローラが所定の温度まで上昇するのに時間がかかってしまうという問題が生じる。
【０００７】
本発明は、上記の問題に鑑みてなされたもので、プリント起動から給紙開始前までのプリント前回転時に、できるだけ早く定着部のヒートローラ全体を均一に暖めることができる画像形成装置を提供することを目的とする。
【課題を解決するための手段】
【０００８】
上述の目的を達成するため、請求項１に係る発明の画像形成装置は、長さの異なる複数のヒータを有する定着部と、上記定着部の温度に応じてヒータを制御する制御手段とを備えた画像形成装置であって、プリント起動から給紙開始前のプリント前回転時に、上記制御手段が、長いヒータを使用して定着部を加熱することを特徴とする。
【０００９】
また、請求項２に係る発明の画像形成装置は、請求項１に記載された画像形成装置において、上記複数のヒータが広い用紙幅用のヒータと狭い用紙幅用のヒータよりなり、プリント前回転時に、上記制御手段が、広い用紙幅用のヒータを使用して定着部を加熱することを特徴とし、
請求項３に係る発明の画像形成装置は、請求項１または請求項２に記載された画像形成装置において、給紙開始後の連続プリント中の定着温度維持時に、上記制御手段が、記録紙の幅に応じて上記複数のヒータのいずれかを使用して定着部の温度制御を実行することを特徴とする。
【発明の効果】
【００１０】
請求項１、請求項２に係る発明の画像形成装置によれば、プリント起動から記録紙の給紙開始前のプリント前回転時には、記録用紙の幅によらず長いヒータが使用されるので、できるだけ早く定着部のヒートローラ全体を均一に暖めることができる。
また、請求項３に係る発明の画像形成装置によれば給紙開始後の連続プリント中の定着温度維持の際には、記録用紙の幅に応じて、複数のヒータのいずれかが選択されて定着部の温度制御が実行されるので、幅の狭い用紙への画像形成時にヒートローラの端部の異常温度上昇を防止することができる。
【実施例】
【００１１】
以下、本発明の画像形成装置を複写機能、ファクシミリ機能、プリント機能、スキャナ機能等を有するデジタル複合機に適用した実施例について説明する。
図１はデジタル複合機のハードウェア構成を示す概略ブロック図であり、図に示すように、デジタル複合機はＣＰＵ１、ＲＯＭ（Read  Only  Memory）２、ＳＲＡＭ（Static  Random  Access  Memory）３、メモリコントローラ４、画像メモリ５、コーデック６、モデム７、ネットワーク制御ユニット（ＮＣＵ）８、スキャナ９、操作パネル１０、プリンタ用画像処理回路１１、プリンタ機構制御回路１２、ＬＡＮインターフェース（Ｉ／Ｆ）１３等により構成され、各部がバス１４を介して接続されている。
【００１２】
ＣＰＵ１はバス１４を介してデジタル複合機のハードウェア各部を制御するとともに、ＲＯＭ２に記憶されたプログラムに基づいて各種のプログラムを実行する。ＲＯＭ２は、デジタル複合機の動作に必要な種々のプログラムや操作メッセージ等を記憶し、ＳＲＡＭ３はプログラムの実行時に発生する一時的なデータを記憶する。
【００１３】
メモリコントローラ４は画像メモリ５への画像信号の書込み、読出しを制御し、画像メモリ５はＳＤＲＡＭ等を用いて構成され、送信すべき画像データまたは受信した画像データあるいは読み取った画像データを記憶する。コーデック６は所定の符号化方式に対応して符号化・復号するものであり、読み取った原稿の画像データを送信するためにＭＨ、ＭＲまたはＭＭＲ方式により符号化し、外部から受信した画像データを復号する。
【００１４】
また、モデム７はバス１４に接続されており、ファクシミリ通信が可能なファクスモデムとしての機能を有し、このモデム７は同様にバス１４に接続されたＮＣＵ８と接続されている。ＮＣＵ８はアナログ回線の閉結及び開放の動作を行うハードウェアであり、必要に応じてモデム７を公衆交換電話網（ＰＳＴＮ）に接続する。
【００１５】
スキャナ９は、オートドキュメントフィーダー（ＡＤＦ）やフラットベッドスキャナ（ＦＢＳ）等の読取り用原稿載置台を備え、ＣＣＤ等を利用して原稿を読み取り、ドットイメージデータを出力する。また、操作パネル１０は、デジタル複合機の動作状態を表示したり、種々の機能の操作画面の表示を行う表示部と、デジタル複合機を操作するための複数のキーよりなる。
【００１６】
さらに、プリンタ用画像処理回路１１は、プリント画像信号を処理してプリンタエンジン１５に入力し、プリンタ機構制御回路１２はプリンタエンジン１５を制御することにより、受信したデータ、コピー原稿データ等をプリントアウトする。このプリンタエンジン１５は、定着器ヒータとして広い用紙幅用の長ヒータ１６と狭い用紙幅用の短ヒータ１７を備えており、これらのヒータは電源スイッチ１８、ヒータのオン／オフ制御スイッチ（ＳＷ）１９、２０を介して商用交流電源ＡＣにより加熱される。また、サーミスタ２１は定着器の温度を検出し、温度検出出力をプリンタ機構制御回路１２に入力する。
【００１７】
また、ＬＡＮインターフェース１３はＬＡＮに接続され、インターネット網からの信号を受信する一方、ＬＡＮに対して信号やデータを送信するものであり、信号変換やプロトコル変換などのインターフェース処理を実行する。
【００１８】
デジタル複合機は上記のような構成を備えており、ファクシミリ送信時には、原稿の画像データがスキャナ９により読み取られ、読み取られた画像信号がコーデック６で圧縮されてメモリコントローラ４を介して画像メモリ５に蓄積される。この圧縮された画像データが画像メモリ５から読み出されてモデム７で変調され、ＮＣＵ８からＰＳＴＮを通して通信相手先に送信される。また、ファクシミリ受信時には、受信した画像データがモデム７で復調され、メモリコントローラ４を介して画像メモリ５に蓄積された後、コーデック６で復号され、プリンタ用画像処理回路１１がプリンタエンジン１５にプリント画像信号を供給することによりプリントが実行される。
【００１９】
次に、プリンタエンジン１５の構造の詳細について図２により説明する。
プリンタエンジン１５は、所定の速度で回転駆動される像担持体としての感光ドラム３１を備え、この感光ドラム３１の回りに、その回転方向（図中矢印方向）に順に、転写ローラ３２、感光ドラム３１の電位を除去するメモリ除去ブラシ３３、感光ドラム３１の表面を一様に帯電する帯電器である帯電コロナチャージャー３４、感光ドラム３１の表面に画像を露光して静電潜像を形成する画像露光装置としてのＬＥＤプリントヘッド３５、感光ドラム３１上に形成された静電潜像をトナーで現像する現像器３６が配設され、さらに、この感光ドラム３１の用紙排出側に定着器３７が設けられている。
【００２０】
現像器３６は、現像ローラ３８とこの現像ローラ３８にトナーを供給する供給ローラ３９、及び、その底部に沿ってトナー補給部（図示せず）から補給されたトナーとキャリヤからなる現像剤を撹拌しながら現像ローラ３８の表面に供給する撹拌パドル４０とを備えている。
また、転写ローラ３２、メモリ除去ブラシ３３、帯電コロナチャージャー３４、現像ローラ３８に各々高電圧を供給する転写バイアス用高電圧発生器４１、メモリ除去ブラシ用高電圧発生器４２、帯電バイアス用高電圧発生器４３、現像バイアス用高電圧発生器４４はプリンタ機構制御回路１２によって制御されて各高電圧を発生する。
【００２１】
一方、定着器３７はヒートローラ４５とヒートローラ４５に押し付けられて回転するニップローラ４６よりなり、ヒートローラ４５内には、図３に示すように、広い用紙幅用の長ヒータ１６としてのハロゲンランプ４７と狭い用紙幅用の短ヒータ１７としてのハロゲンランプ４８が配置されている。
そして、ヒートローラ４５に接触する形で設けられた温度検出素子であるサーミスタ２１の出力に基づいて、ＣＰＵ１がプリンタ機構制御回路１２を介してヒータのオン／オフ制御スイッチ１９、２０を制御することにより、ヒートローラ４５の温度を待機温度、定着温度等に制御する。
【００２２】
ＬＥＤプリントヘッド３５は、ＬＥＤアレイの各ＬＥＤチップで発光された光ビームを各対応するマイクロレンズで集光して感光ドラム３１の外周面上に結像させることにより、ＬＥＤプリントヘッド３５全体として、感光ドラム３１の軸線方向に所定の解像度で光ビームを照射可能に構成されている。
また、メモリ除去ブラシ３３は、各々のトナー像の転写工程が終了した後の感光ドラム３１の表面の残留トナーや紙粉等を除去するとともに、帯電を除去して、次の画像形成プロセスに備えさせるものであり、モータ４９はプリンタ機構の各回転部を回転させるためのモータで、モータドライバ５０を介してプリンタ機構制御回路１２により制御される。
【００２３】
プリンタエンジンは以上のように構成されており、このプリンタエンジンで画像を形成する場合には、感光ドラム３１の表面を帯電コロナチャージャー３４によって一様に帯電し、次に、帯電された感光ドラム３１の表面をＬＥＤプリントヘッド３５から画像データに応じて出射される画像形成用の光で露光することにより静電潜像を形成する。このように感光ドラム３１上に形成された静電潜像は、現像器３６によってトナーにより可視トナー像に現像される。この可視トナー像は、転写ローラ３２の帯電作用によって記録紙上に順次転写された後、トナー像が転写された記録紙が定着器３７により加熱及び加圧されてトナー像が定着され、その後、排紙部（図示せず）に排出案内されるようになっている。
【００２４】
次に、ＣＰＵ１がプリンタ機構制御回路１２を介して定着器の温度制御を実行する場合の作用について、図４のフローチャートにより説明する。
図４は待機時、プリント前回転時等の定着部の温度制御の状態に応じて加熱に使用するヒータを切り替える場合の作用を示すフローチャートであり、デジタル複合機の電源がオンになると、ＣＰＵ１は、図４のフローチャートに示すヒータ制御切替えプログラムを開始し、その時点で待機時の温度制御を実行中か否かを判定し（ステップ１０１）、その時点の温度制御が待機時の温度制御であると判定した場合、長ヒータ１６、すなわち、ハロゲンランプ４７を用いて温度制御を実行する（ステップ１０２）
【００２５】
また、ステップ１０１でその時点の温度制御が待機時の温度制御でないと判定した場合、ＣＰＵ１は、その時点でプリント前回転時の温度上昇を実行しているか否かを判定し（ステップ１０３）、その時点の温度制御がプリント前回転時の温度上昇であると判定した場合、長ヒータ１６、すなわち、ハロゲンランプ４７を用いて温度上昇制御を実行する（ステップ１０４）。
【００２６】
ステップ１０３でその時点の温度制御がプリント前回転時の温度上昇制御でないと判定した場合、ＣＰＵ１は、その時点で定着時の温度制御を実行しているか否かを判定し（ステップ１０５）、その時点の温度制御が定着時の温度制御であると判定した場合、記録紙の幅に応じたヒータを選択して温度制御を実行する（ステップ１０６）。すなわち、記録紙の幅が広い場合には、長ヒータ１６、すなわち、ハロゲンランプ４７を用いて温度制御を実行し、記録紙の幅が狭い場合には、短ヒータ１７、すなわち、ハロゲンランプ４８を用いて温度制御を実行する。
【００２７】
また、ステップ１０５でその時点の温度制御が定着時の温度制御でないと判定した場合、ＣＰＵ１は、その時点でスリープ時の温度制御を実行しているか否かを判定し（ステップ１０７）、その時点の温度制御がスリープ時の温度制御であると判定した場合、全ヒータをオフする（ステップ１０８）。
以上のように、デジタル複合機の電源がオンしている間、常時、ＣＰＵ１は、その時点の定着器の温度制御の状態を監視して、温度制御に使用するヒータの切替えを実行する。
【００２８】
上記のようにして、ＣＰＵ１は定着器の温度制御に使用するヒータの切替えを実行するが、この定着器の温度制御の詳細について、以下、図５のフローチャート及び図６の波形図により説明する。
デジタル複合機の電源がオンになると、ＣＰＵ１は、図５のフローチャートに示す温度制御プログラムを開始し、温度制御を待機時温度制御に設定した（ステップ２０１）後、定着器を省エネルギーモードに移行させるための時間を計測するタイマＴａをスタートさせる（ステップ２０２）。
【００２９】
次に、ＣＰＵ１は、サーミスタ２１の検出温度に基づいて定着器の温度が待機温度より高いか否かを判定し（ステップ２０３）、待機温度に到達していない場合、ＳＷ１９へのヒータオン／オフ信号をオンにすることにより、長ヒータ１６、すなわち、広い用紙幅用のハロゲンランプ４７をオンする（ステップ２０４）。
【００３０】
そして、ステップ２０３で定着器の温度が待機温度より高くなったと判定した場合、ＣＰＵ１は、ＳＷ１９へのヒータオン／オフ信号をオフすることにより長ヒータ１６をオフした（ステップ２０５）後、プリントジョブが発生したか否かを判定する（ステップ２０６）。
プリントジョブが発生していないと判定した場合、ＣＰＵ１は、タイマＴａがタイムアップしたか否かを判定し（ステップ２０７）、タイマＴａがタイムアップしていないと判定した場合、ステップ２０３に戻って再び定着器の温度が待機温度より高いか否かを判定する。
【００３１】
一方、ステップ２０６でプリントジョブが発生したと判定した場合、ＣＰＵ１は、温度制御をプリント前回転時温度上昇制御に切り替えた（ステップ２０８）後、サーミスタ２１の検出温度がピックアップ温度に到達した否かを判定し（ステップ２０９）、ピックアップ温度に到達していない場合、ＳＷ１９へのヒータオン／オフ信号をオンにすることにより、図６（ｂ）に示すように、長ヒータ１６をオンする（ステップ２１０）。これにより、図６（ａ）に示すように、サーミスタ２１の検出温度、すなわち、定着器の温度が上昇する。
【００３２】
なお、定着器の待機温度及び定着温度は、それぞれ、１００〜１４０℃、１８０〜２００℃であり、例えば、定着温度が２００℃の場合、ピックアップ温度は１９５℃に設定される。
また、プリント起動後、図６（ｄ）に示すように、モータ４９によりプリンタエンジンの各回転部の回転が開始される。
【００３３】
そして、サーミスタ２１の検出温度がピックアップ温度まで上昇し、ステップ２０９で定着器の温度がピックアップ温度に到達したと判定した場合、ＣＰＵ１は、図６（ｂ）に示すように、ＳＷ１９へのヒータオン／オフ信号をオフすることにより長ヒータ１６をオフした（ステップ２１１）後、図６（ｅ）に示すように、ピックアップ信号を出力して記録紙の給紙を開始するとともに、プリントを開始する（ステップ２１２）。
【００３４】
プリントを開始すると、ＣＰＵ１は、温度制御を定着時温度制御に切り替えた（ステップ２１３）後、プリントが終了したか否かを判定し（ステップ２１４）、プリントが終了していないと判定した場合、サーミスタ２１の検出温度に基づいて定着器の温度が定着温度より高いか否かを判定する（ステップ２１５）。
【００３５】
定着器の温度が定着温度に到達していない場合、ＣＰＵ１は、記録用紙の幅が広いか否かを判定し（ステップ２１６）、例えば、記録用紙がＡ３で記録用紙の幅が広いと判定した場合、ＳＷ１９へのヒータオン／オフ信号をオン、ＳＷ２０へのヒータオン／オフ信号をオフにすることにより、長ヒータ１６をオンするとともに、短ヒータ１７がオンとなっていた場合には、短ヒータ１７をオフした（ステップ２１７）後、ステップ２１４に戻って、プリントが終了したか否かを判定する。
【００３６】
また、記録用紙が、例えば、Ａ４で記録用紙の幅が狭いと判定した場合、ＣＰＵ１は、図６（ｃ）に示すように、ＳＷ２０へのヒータオン／オフ信号をオン、ＳＷ１９へのヒータオン／オフ信号をオフにすることにより、短ヒータ１７をオンするとともに、長ヒータ１６がオンとなっていた場合には、長ヒータ１６をオフした（ステップ２１８）後、ステップ２１４に戻って、プリントが終了したか否かを判定する。
【００３７】
そして、ステップ２１５でサーミスタ２１の検出温度に基づいて定着器の温度が定着温度に到達したと判定した場合、ＣＰＵ１は、ＳＷ１９、２０へのヒータオン／オフ信号をオフにすることにより、ヒータをオフした（ステップ２１９）後、ステップ２１４に戻って、プリントが終了したか否かを判定する。
【００３８】
この定着時温度制御を実行している時、図６（ｆ）、（ｇ）に示すように、ＬＥＤプリントヘッド３５が画像データに応じて画像形成用の光を出射することにより、感光ドラム３１を露光するとともに、感光ドラム３１上に形成された静電潜像が現像器３６によってトナーにより可視トナー像に現像され、転写ローラ３２によって用紙上に順次転写された後、トナー像が転写された用紙が定着器３７を通過することにより、加熱及び加圧されてトナー像が定着される。
【００３９】
一方、ステップ２１４でプリントが終了したと判定すると、ＣＰＵ１は、ＳＷ１９、２０へのヒータオン／オフ信号をオフにすることにより、ヒータをオフした（ステップ２２０）後、タイマＴａを再スタートするとともに、待機モードに移行するための時間を計測するタイマＴｂをスタートさせる（ステップ２２１）。この後、ＣＰＵ１は、プリントジョブが発生したか否かを判定し（ステップ２２２）、プリントジョブが発生していないと判定した場合、タイマＴｂがタイムアップしたか否かを判定する（ステップ２２３）。タイマＴｂがタイムアップしていないと判定した場合、ＣＰＵ１は、ステップ２２２に戻って、再びプリントジョブが発生したか否かを判定する。
【００４０】
また、ステップ２２３でタイマＴｂがタイムアップした、すなわち、待機モードへの移行時間が経過したと判定した場合、ＣＰＵ１は、温度制御を待機時温度制御に切り替えた（ステップ２２４）後、サーミスタ２１の検出温度に基づいて定着器の温度が待機温度より高いか否かを判定する（ステップ２２５）。
【００４１】
定着器の温度が待機温度より低いと判定した場合、ＣＰＵ１は、ＳＷ１９へのヒータオン／オフ信号をオンにすることにより、長ヒータ１６をオンして定着器を加熱し（ステップ２２６）、待機温度より高いと判定した場合、ＳＷ１９へのヒータオン／オフ信号をオフにすることにより長ヒータをオフした（ステップ２２７）後、プリントジョブが発生したか否かを判定する（ステップ２２８）。
【００４２】
そして、ステップ２２８でプリントジョブが発生していないと判定した場合、ＣＰＵ１は、タイマＴａがタイムアップしたか否かを判定し（ステップ２２９）、タイマＴａがタイムアップしていないと判定した場合、ステップ２２５に戻って再び定着器の温度が待機温度より高いか否かを判定する。
【００４３】
一方、ステップ２２９またはステップ２０７でタイマＴａがタイムアップした、すなわち、省エネルギーモードへの移行時間が経過したと判定した場合、ＣＰＵ１は、温度制御をスリープ時温度制御に切り替え（ステップ２３０）、ＳＷ１９、ＳＷ２０へのヒータオン／オフ信号をオフすることにより、長ヒータ１６、短ヒータ１７をオフした（ステップ２３１）後、常時、プリントジョブが発生したか否かを判定する。
【００４４】
そして、ステップ２３２、ステップ２２２、または、ステップ２２８でプリントジョブが発生したと判定した場合、ＣＰＵ１は、ステップ２０８に戻って温度制御をプリント前回転時温度上昇制御に切り替え、上記と同様にしてプリント実行のための処理を行う。
【００４５】
以上のように、プリント起動から記録紙の給紙開始前までのプリント前回転時には、記録紙の幅によらず広い用紙幅用の長ヒータが使用されるので、できるだけ早く定着器のヒートローラ全体を均一に暖めることができ、また、給紙開始後の連続プリント中の定着温度維持の際には、記録用紙の幅に応じて広い用紙幅用の長ヒータと狭い用紙幅用の短ヒータのいずれかが選択されて定着器の温度制御が実行されるので、幅の狭い用紙への画像形成時にヒートローラの端部の異常温度上昇を防止することができる。
【００４６】
なお、上記の実施例では、ヒータが長、短二つのヒータを備えた実施例について説明したが、本願発明は、長、中、短の三つのヒータを備えた画像形成装置にも適用することができ、この場合には、プリント前回転時の温度上昇に長ヒータを使用し、定着時には記録用紙の幅に応じて、長、中、短のいずれかのヒータを使用する。
【００４７】
また、上記の実施例では、本発明の画像形成装置をデジタル複合機に適用した場合について説明したが、本発明の画像形成装置はファクシミリ装置やコピー機等の他の画像形成装置にも適用することができる。
【図面の簡単な説明】
【００４８】
【図１】デジタル複合機のハードウェア構成を示す概略ブロック図である。
【図２】プリンタエンジンの構造の詳細を示す図である。
【図３】ヒートローラ内のハロゲンランプの配置状態を示す図である。
【図４】定着器の温度制御を実行する場合の作用を示すフローチャートである。
【図５】定着器のヒータの温度制御の詳細な作用を示すフローチャートである。
【図６】プリント実行時の動作波形を示す図である。
【符号の説明】
【００４９】
１  ＣＰＵ
２  ＲＯＭ
３  ＳＲＡＭ
４  メモリコントローラ
５  画像メモリ
６  コーデック
７  モデム
８  ＮＣＵ
９  スキャナ
１０  操作パネル
１１  プリンタ用画像処理回路
１２  プリンタ機構制御回路
１３  ＬＡＮ  Ｉ／Ｆ
１４  バス
１５  プリンタエンジン
１６  長ヒータ
１７  短ヒータ
１８  電源スイッチ
１９、２０  スイッチ（ＳＷ）
【図１】
2008197306.tif 000003
【図２】
2008197306.tif 000004
【図３】
2008197306.tif 000005
【図４】
2008197306.tif 000006
【図５】
2008197306.tif 000007
【図６】
2008197306.tif 000008